(57)【要約】【課題】廃棄物を減らして資源を有効利用することができる建具の緩衝材兼断熱材、建具の運搬および取付方法、および建具を提供すること。【解決手段】本設時においては、ドア枠１４の外周面に第１面部３１および第２面部３２を密接させて断熱材３０が固定されているので、ドア枠１４を介した壁１および脱衣室側との熱伝達を遮断して浴室の断熱性能を高めることができる。運搬時においては、ドア枠１４および扉２０に第２面部３２および第３面部３３を当接させて断熱材３０が取り付けられるので、扉２０の移動を規制して安定性を確保することができる。従って、本設時における断熱材３０を運搬時における緩衝材として用いることで、運搬後に廃棄される梱包材の量が削減でき、資源の有効利用を図ることができる。【選択図】図４
2007146606.tif 000002
【特許請求の範囲】
【請求項１】
枠体とパネル体とを備えた建具を運搬する際に当該枠体および／またはパネル体に当接する当接面部と、前記枠体を壁体に取り付けた状態で当該枠体の外周面に接して固定するための固定面部とを備えた建具の緩衝材兼断熱材。
【請求項２】
壁体の開口部に固定される枠体と、前記枠体内部に支持されるパネル体と、前記壁体の開口部端縁に沿った前記枠体の外周面に固定される断熱材とを備えた建具の運搬および取付方法であって、
前記断熱材は、前記枠体の外周面に固定した状態において当該外周面に接する固定面部と、前記枠体の外周面に固定しない状態において当該枠体および前記パネル体の両方に当接可能な当接面部とを有して構成され、
前記枠体に前記パネル体を組み込んだ状態で当該枠体およびパネル体に前記当接面部を当接させて前記断熱材を取り付けて前記建具を運搬し、
前記枠体およびパネル体から前記断熱材を一旦取り外してから、前記固定面部を前記枠体の外周面に接して固定し、前記壁体の開口部に前記枠体を固定する建具の運搬および取付方法。
【請求項３】
壁体の開口部に固定される枠体と、
前記枠体内部に支持されるパネル体と、
前記壁体の開口部端縁に沿った前記枠体の外周面に固定される断熱材とを備え、
前記断熱材は、前記枠体の外周面に固定した状態において当該外周面に接する固定面部と、前記枠体の外周面に固定しない状態において当該枠体および前記パネル体の両方に当接可能な当接面部とを有して構成され、
前記枠体に前記パネル体を組み込んだ状態での運搬に際し、当該枠体およびパネル体に前記当接面部を当接させて前記断熱材が取り付けられ、前記壁体の開口部への前記枠体の固定に際し、一旦取り外された前記断熱材が前記固定面部を前記枠体の外周面に接して固定される建具。
【請求項４】
前記断熱材の固定面部には、前記枠体の外周面に接着固定するための接着シートが設けられ、この接着シートの接着面は、前記運搬時において保護材で覆われている請求項３に記載の建具。
【請求項５】
前記断熱材の固定面部には、前記枠体の外周面と係合する係合部が形成されている請求項３または請求項４に記載の建具。
【請求項６】
前記断熱材には、前記枠体と前記パネル体との隙間に介挿される突起部が形成されている請求項３から請求項５のいずれかに記載の建具。
【請求項７】
前記断熱材は、前記枠体の外周面に固定された状態において、前記当接面部の少なくとも一部を含んだ部分を前記固定面部を含んだ部分から切り離すための切込み部を有して形成されている請求項３から請求項６のいずれかに記載の建具。
【発明の詳細な説明】
【技術分野】
【０００１】
本発明は、建具の緩衝材兼断熱材、建具の運搬および取付方法、および建具に関し、詳しくは、壁体の開口部に固定される枠体と、この枠体内部に支持されるパネル体とを備えた建具の緩衝材兼断熱材、建具の運搬および取付方法、および建具に関する。
【背景技術】
【０００２】
窓や出入り口等を構成する建具として、枠体（扉枠）とパネル体（扉）とを有した玄関ドアが知られており、この玄関ドアの扉枠に扉を取り付けた状態で製造工場から建設現場等へ運搬する際、あるいは扉枠を建物等へ取り付ける際に、扉が開閉移動したりずれたりするのを防止するための梱包材（梱包用パッキング）が提案されている（例えば、特許文献１参照）。
特許文献１に記載された梱包材は、合成樹脂製で扉の端縁部の突片を挟持する凹溝を有して形成され、扉の端縁部に取り付けた状態で扉枠に押圧されるように構成されており、この梱包材によって扉枠と扉との隙間が塞がれて相互間の移動やずれが防止できるようになっている。
【０００３】
【特許文献１】実開昭５５−１４８０７３号公報
【発明の開示】
【発明が解決しようとする課題】
【０００４】
しかしながら、前記特許文献１に記載された梱包材は、玄関ドアを建物に取り付けた後には不要となって廃棄されるため、資源が無駄になってしまうという問題がある。また、梱包材を再利用する場合であっても、梱包材のみを建設現場等から製造工場へ送り返さなければならず、その手間とコストが必要になってしまうため、有効に再利用するのが困難になるという不都合がある。
【０００５】
本発明の目的は、廃棄物を減らして資源を有効利用することができる建具の緩衝材兼断熱材、建具の運搬および取付方法、および建具を提供することにある。
【課題を解決するための手段】
【０００６】
本発明の建具の緩衝材兼断熱材は、枠体とパネル体とを備えた建具を運搬する際に当該枠体および／またはパネル体に当接する当接面部と、前記枠体を壁体に取り付けた状態で当該枠体の外周面に接して固定するための固定面部とを備えたことを特徴とする。
また、本発明の建具の運搬および取付方法は、壁体の開口部に固定される枠体と、前記枠体内部に支持されるパネル体と、前記壁体の開口部端縁に沿った前記枠体の外周面に固定される断熱材とを備えた建具の運搬および取付方法であって、前記断熱材は、前記枠体の外周面に固定した状態において当該外周面に接する固定面部と、前記枠体の外周面に固定しない状態において当該枠体および前記パネル体の両方に当接可能な当接面部とを有して構成され、前記枠体に前記パネル体を組み込んだ状態で当該枠体およびパネル体に前記当接面部を当接させて前記断熱材を取り付けて前記建具を運搬し、前記枠体およびパネル体から前記断熱材を一旦取り外してから、前記固定面部を前記枠体の外周面に接して固定し、前記壁体の開口部に前記枠体を固定することを特徴とする。
また、本発明の建具は、壁体の開口部に固定される枠体と、前記枠体内部に支持されるパネル体と、前記壁体の開口部端縁に沿った前記枠体の外周面に固定される断熱材とを備え、前記断熱材は、前記枠体の外周面に固定した状態において当該外周面に接する固定面部と、前記枠体の外周面に固定しない状態において当該枠体および前記パネル体の両方に当接可能な当接面部とを有して構成され、前記枠体に前記パネル体を組み込んだ状態での運搬に際し、当該枠体およびパネル体に前記当接面部を当接させて前記断熱材が取り付けられ、前記壁体の開口部への前記枠体の固定に際し、一旦取り外された前記断熱材が前記固定面部を前記枠体の外周面に接して固定されることを特徴とする。
【０００７】
ここで、本発明における建具としては、出入り口を構成するドアや引き戸、折れ戸等であってもよく、また各種開閉形式の窓であってもよく、さらには枠体にパネル体が固定された嵌め殺し窓等であってもよい。建具がドアの場合には、枠体がドア枠で、パネル体が扉で構成され、引き戸や折れ戸の場合には、パネル体が戸や障子で構成されていればよい。一方、建具が窓である場合には、窓枠で枠体が構成され、開き形式や左右または上下スライド形式、縦または横辷り出し形式、突き出し形式、内または外倒し形式等、任意の開閉形式の可動障子でパネル体が構成されていればよい。さらに、建具を設置する壁体としては、外壁でもよく、また建物内部の部屋や空間を仕切る内壁であってもよい。
【０００８】
このような本発明の建具の緩衝材兼断熱材、建具の運搬および取付方法、および建具によれば、壁体の開口部に建具を設置した状態（本設時）においては、枠体の外周面に断熱材を固定することで、枠体を介した壁体との間の熱伝達を遮断して壁体の表裏両面間の断熱性能を高めることができる。一方、建具を壁体に設置する前の運搬時においては、枠体またはパネル体の外周位置に緩衝材として断熱材を取り付けることで、運搬時における枠体やパネル体の傷付きを防止することができる。また、枠体およびパネル体の両方に当接面部を当接して断熱材を取り付ける、すなわち断熱材を緩衝材として利用することで、開閉可能に枠体に支持されたパネル体の場合に、その移動を規制し、安定して建具を運搬することができるとともに、断熱材が緩衝材として機能することで、運搬時における枠体やパネル体の傷付きを防止することができる。従って、本設時における断熱材を運搬時における緩衝材として用いることで、従来の梱包材のように運搬後に廃棄されることがなくなる、あるいは廃棄される量が削減でき、資源の有効利用を図ることができる。
【０００９】
この際、本発明の建具では、前記断熱材の固定面部には、前記枠体の外周面に接着固定するための接着シートが設けられ、この接着シートの接着面は、前記運搬時において保護材で覆われていることが好ましい。
このような構成によれば、断熱材の固定面部に保護材で覆った接着シートを予め設けておくことで、運搬後の建具の本設時に断熱材を枠体の外周面に接着固定する際に、保護材を取り除く（剥がす）だけで簡単に断熱材を固定することができ、作業が迅速に実施できて作業性を向上させることができる。
【００１０】
さらに、本発明の建具では、前記断熱材の固定面部には、前記枠体の外周面と係合する係合部が形成されていることが好ましい。
このような構成によれば、断熱材の固定面部に形成した係合部を枠体の外周面に係合させることで、建具の本設時に断熱材を簡単に所定の固定位置に固定することができ、作業性をさらに向上させることができる。
【００１１】
また、本発明の建具では、前記断熱材には、前記枠体と前記パネル体との隙間に介挿される突起部が形成されていることが好ましい。
このような構成によれば、断熱材に形成した突起部を枠体とパネル体との隙間に介挿することで、パネル体の移動やずれをより確実に防止することができ、運搬時の建具の安定性をより一層向上させることができる。
【００１２】
また、本発明の建具では、前記断熱材は、前記枠体の外周面に固定された状態において、前記当接面部の少なくとも一部を含んだ部分を前記固定面部を含んだ部分から切り離すための切込み部を有して形成されていることが好ましい。
このような構成によれば、断熱材に形成した切込み部に沿って断熱材の一部を切り離すことで、運搬時においては必要であっても、本設時においては、壁体との収まりの関係で不要な部分を容易に切除することができ、この点でも作業性を向上させることができる。
【発明を実施するための最良の形態】
【００１３】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングを省略する場合がある。
【００１４】
〔第１実施形態〕
図１は、本発明の第１実施形態に係る建具としての浴室ドア１０が設けられた浴室の壁（壁体）１における開口部を拡大して示す縦断面図である。図２は、浴室ドア１０を示す正面図である。図３および図４は、それぞれ運搬時の浴室ドア１０を示す正面図および縦断面図である。
図１、２において、浴室の壁１は、浴室と脱衣室とを仕切るものであって、浴室側の壁材２と脱衣室側の壁材３とを有して中空に形成され、この壁１の脱衣室側の開口部端縁には、木製の額縁材４が取り付けられている。
浴室ドア１０は、壁１の開口部に固定される枠体であるドア枠１４と、ドア枠１４内部に開閉自在に支持されるパネル体である扉２０と、壁１の開口部端縁に沿ったドア枠１４の外周面に固定される断熱材３０とを備えて構成されている。
【００１５】
ドア枠１４は、それぞれアルミ形材製の上枠１１、下枠１２、および左右の縦枠１３を四周枠組みして形成されている。そして、扉２０は、それぞれアルミ形材製の上框２１、下框２２、左右の縦框２３を四周框組みした内部に、樹脂（ポリカーボネート）製の面材２４を嵌め込んで形成され、ドア枠１４の一方の縦枠１３に蝶番（不図示）を介してスイング開閉可能に支持されている。また、断熱材３０は、軟質または硬質の発泡樹脂やゴム等から形成された弾性部材であって、ドア枠１４の外周面である壁１の内部に露出する面、すなわち上枠１１の上面部１１１および外側面部１１２や、下枠１２の下面部（不図示）、縦枠１３の外側面部（不図示）に密接して固定されており、ドア枠１４と壁１との熱伝達を抑制することができるようになっている。すなわち、脱衣室の内気温が壁１の壁材３および中空内部を介してドア枠１４に伝達する、あるいは、浴室の内気温がドア枠１４を介して壁１や脱衣室側に逃げることにより浴室の内気温が下がることが、断熱材３０によって防止されるようになっている。
【００１６】
一方、図３、４に示すように、浴室ドア１０は、ドア枠１４に扉２０を組み込んだ状態で運搬されるようになっている。この運搬時において、ドア枠１４と扉２０との両方に当接して断熱材３０が取り付けられ、扉２０の移動が断熱材３０によって規制されるとともに、扉２０の框材２１，２２，２３の浴室側（開放側）表面が断熱材３０で覆われている。さらに、運搬時においては、ドア枠１４の四隅に樹脂製やゴム製のコーナー保護材４０が取り付けられ、ドア枠１４の角部が傷付かないように保護されている。このように断熱材３０によって扉２０の移動を規制し、かつ框材２１，２２，２３表面を覆うとともに、コーナー保護材４０によってドア枠１４の角部を保護した状態で、浴室ドア１０を設置場所に運搬した後に、断熱材３０およびコーナー保護材４０が取り外され、その後に断熱材３０は、前述のようにドア枠１４の外周面に取り付けられるようになっている。
【００１７】
断熱材３０は、図１、４に示すように、少なくとも第１面部３１、第２面部３２および第３面部３３を有して形成されている、そして、図１、２に示すように壁１に固定された本設時において、第１面部３１および第２面部３２を上枠１１の上面部１１１および外側面部１１２や、図示を省略する下枠１２の下面部、縦枠１３の外側面部等に密接して上枠１１、下枠１２および縦枠１３にそれぞれ断熱材３０が固定されており、すなわち、第１面部３１および第２面部３２で固定面部が構成されている。また、図３、４に示すように浴室ドア１０の運搬時において、第２面部３２および第３面部３３を上枠１１、下枠１２、縦枠１３および扉２０の浴室側側面に当接して断熱材３０が取り付けられるようになっており、すなわち第２面部３２および第３面部３３で当接面部が構成されている。
【００１８】
また、断熱材３０の第１面部３１には、上枠１１に形成された２つの突起部であるビスホール１１３に係合する係合部３４が形成されており、図１に示す本設時において、係合部３４をビスホール１１３に係合させることで、断熱材３０が上枠１１に固定されるようになっている。この際、第１面部３１や第２面部３２を接着剤によって上枠１１に接着して断熱材３０を固定してもよい。
さらに、断熱材３０の第２面部３２と第３面部３３との間には、図４に示す運搬時において、ドア枠１４と扉２０との隙間に介挿される突起部３５が形成されており、この突起部３５をドア枠１４と扉２０との隙間に圧入することで、扉２０の面内方向（図３の上下方向や左右方向）の移動が規制されるようになっている。そして、突起部３５の先端には、本設時における壁材２とドア枠１４との間をシールするシール材５が位置決めされるようになっている。
【００１９】
このような本実施形態によれば、以下のような効果がある。
（１）すなわち、本設時においては、ドア枠１４の外周面に第１面部３１および第２面部３２を密接させて断熱材３０が固定されているので、ドア枠１４を介した壁１および脱衣室側との熱伝達を遮断して浴室の断熱性能を高めることができる。
【００２０】
（２）さらに、運搬時においては、ドア枠１４および扉２０に第２面部３２および第３面部３３を当接させて断熱材３０が取り付けられるので、扉２０の移動を規制して安定性を確保することができるとともに、ドア枠１４や扉２０の框材２１，２２，２３の傷を防止することができる。
【００２１】
（３）そして、本設時における断熱材３０を運搬時における梱包材や緩衝材として用いることで、運搬後に廃棄される梱包材の量が削減でき、資源の有効利用を図ることができる。
【００２２】
（４）また、断熱材３０の第１面部３１に形成した係合部３４をドア枠１４の外周面に係合させることで、本設時において断熱材３０を簡単に所定の固定位置に固定することができ、浴室ドア１０の取付作業の作業性を向上させることができる。
【００２３】
（５）さらに、断熱材３０に形成した突起部３５を運搬時においてドア枠１４と扉２０との隙間に圧入することで、扉２０の面内方向の移動やずれをより確実に防止することができ、運搬時の浴室ドア１０の安定性をより一層向上させることができる。
【００２４】
〔第２実施形態〕
次に、本発明の第２実施形態に係る建具について図５および図６に基づいて説明する。
図５は、第２実施形態の建具としての引違い窓５０の一部を示す縦断面図である。図６は、運搬時の引違い窓５０の一部を示す縦断面図である。
第２実施形態の引違い窓５０は、上枠５１、下枠および左右の縦枠（不図示）からなる窓枠（枠体）５４と、この窓枠５４に左右スライド自在に支持された室内外一対の障子６０Ａ，６０Ｂとを備えた窓である点と、断熱材７０の構造とが、前記第１実施形態と相違し、それ以外の構成は、第１実施形態と略同様である。すなわち、引違い窓５０の障子６０Ａ，６０Ｂは、上框６１、下框および左右の縦框の内部に面材６４を嵌め込んで形成され、上枠５１および下枠のレール部に案内されて左右スライド移動可能に構成されている。
【００２５】
断熱材７０は、第１〜第５面部７１，７２，７３，７４，７５を有して形成されており、図５に示す本設時において、第１面部７１および第２面部７２を上枠５１や下枠、縦枠の外周面に密接して窓枠５４に固定されている。すなわち、断熱材７０の第１および第２面部で固定面部が構成されている。一方、図６に示す引違い窓５０の運搬時において、断熱材７０は、第２面部７２、第３面部７３および第４面部７４を上枠５１や下枠、縦枠に当接し、第５面部７５を障子６０Ａに当接した状態で取り付けられている。すなわち、断熱材７０の第２〜第５面部で当接面部が構成されている。そして、断熱材７０の第１面部７１には、接着シート７６（両面テープ）が設けられ、この接着シート７６の接着面は、運搬時において保護材７６Ａで覆われており、本設時には、保護材７６Ａを剥がしてから接着シート７６を上枠５１や下枠、縦枠の外周面に接着することで、断熱材７０が窓枠５４に固定されるようになっている。また、断熱材７０における第３面部７３と第４面部７４との間には、切込み部７７が設けられており、本設時において切込み部７７から切断することで、第４および第５面部７４，７５側の部分が、第１〜第３面部７１，７２，７３側の部分から切り離されるようになっている。
【００２６】
このような本実施形態によれば、前述の（１）〜（３）と同様の効果に加えて以下のような効果がある。
（６）すなわち、断熱材７０の固定面部である第１面部７１に保護材７６Ａで覆った接着シート７６が予め設けられているので、運搬後の引違い窓５０の本設時に、保護材７６Ａを剥がすだけで簡単に断熱材７０を窓枠５４の外周面に固定することができ、作業が迅速に実施できて作業性を向上させることができる。
【００２７】
（７）さらに、断熱材７０に形成した切込み部７７に沿って断熱材７０の一部が切り離せるので、運搬時においては必要であっても、本設時においては壁１との収まりの関係で不要となる部分を容易に切除することができ、この点でも作業性を向上させることができる。
【００２８】
なお、本発明は、前記実施形態に限定されるものではなく、本発明の目的を達成できる他の構成等を含み、以下に示すような変形等も本発明に含まれる。
例えば、前記第１実施形態ではスイング開閉自在な扉２０を有した浴室ドア１０を例示し、前記第２実施形態では左右スライド開閉自在な障子６０Ａ，６０Ｂを有した引違い窓５０を例示したが、本発明の建具は浴室ドア１０や引違い窓５０に限らず、各種開閉形式の出入り口や窓に適用可能である。すなわち、建具を出入り口に用いる場合において建具としては、玄関ドアでもよく、また居室出入り口のドアや引き戸等でもよい。また、建具を窓に用いる場合には、開き窓や片引き窓、上げ下げ窓、縦（横）辷り出し窓、突き出し窓、内（外）倒し窓等、任意の開閉形式の窓に適用することができる。
【００２９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３０】
【図１】本発明の第１実施形態に係る建具の一部を拡大して示す縦断面図である。
【図２】前記建具を示す正面図である。
【図３】運搬時の前記建具を示す正面図である。
【図４】運搬時の前記建具を示す縦断面図である。
【図５】本発明の第２実施形態に係る建具の一部を拡大して示す縦断面図である。
【図６】運搬時の前記建具を示す縦断面図である。
【符号の説明】
【００３１】
１…壁（壁体）、１０…建具である浴室ドア、１４…枠体であるドア枠、２０…パネル体である扉、３０，７０…断熱材、３１，３２，７１，７２…固定面部、３２，３３，７２，７３，７４，７５…当接面部、３４…係合部、３５…突起部、７６…接着シート、７６Ａ…保護材、７７…切込み部。
【図１】
2007146606.tif 000003
【図２】
2007146606.tif 000004
【図３】
2007146606.tif 000005
【図４】
2007146606.tif 000006
【図５】
2007146606.tif 000007
【図６】
2007146606.tif 000008